(57)【要約】【課題】電力使用量の削減を見込むことのできない電力負荷装置を含むあらゆる電量負荷装置が用いられることを想定して、消費電力が抑えられるように各電力負荷装置の利用時間帯を提案することができる行動パターン提案装置を提供する。【解決手段】所定の処理日に関連する複数の利用履歴情報を取得し、取得した複数の利用履歴情報のうち、利用履歴情報に含まれる各電力負荷装置を利用した際に消費した電力に基づいて電力料金の総額を算出し、その総額が最も低い利用履歴情報を特定する。そして、特定した利用履歴情報に含まれる電力負荷装置それぞれの利用履歴から当該電力負荷装置それぞれの利用時刻を取得し、当該電力負荷装置それぞれの所定の処理日に応じた利用時間帯を決定して当該電力負荷装置それぞれの利用時間帯含む行動パターン提案情報を生成する。【選択図】図１
2013218642.tif 000002
【特許請求の範囲】
【請求項１】
電力負荷装置それぞれの１日の利用履歴とその利用履歴において前記電力負荷装置それぞれを利用した際に消費した電力とを少なくとも示す利用履歴情報のうち、所定の処理日に関連する複数の利用履歴情報を取得する利用履歴情報取得部と、
取得した前記複数の利用履歴情報のうち、利用履歴情報に含まれる各電力負荷装置を利用した際に消費した電力に基づいて電力料金の総額を算出し、その総額が最も低い利用履歴情報を特定する利用履歴情報特定部と、
前記特定した利用履歴情報に含まれる電力負荷装置それぞれの利用履歴から当該電力負荷装置それぞれの利用時刻を取得し、当該電力負荷装置それぞれの前記所定の処理日に応じた利用時間帯を決定して当該電力負荷装置それぞれの利用時間帯含む行動パターン提案情報を生成する行動パターン提案情報生成部と、
を備えることを特徴とする行動パターン提案装置。
【請求項２】
前記電力負荷装置を利用するユーザのうち所定のユーザの識別情報を入力するユーザ識別情報入力部と、を備え、
前記利用履歴情報取得部は、前記入力したユーザに関連する利用履歴情報を取得する
ことを特徴とする請求項１に記載の行動パターン提案装置。
【請求項３】
前記行動パターン提案情報生成部は、前記特定した利用履歴情報に含まれる電力負荷装置それぞれの利用履歴から当該電力負荷装置それぞれの利用時刻を取得し、当該電力負荷装置それぞれの利用時刻を基準とする所定の時間シフト幅と、複数の電力源それぞれについての時間帯ごとの単位時間当たりの電気料金とに基づいて、前記特定した利用履歴情報に含まれる電力負荷装置それぞれの利用時間帯を決定し、当該電力負荷装置それぞれの利用時間帯を含む行動パターン提案情報を生成する
ことを特徴とする請求項１または請求項２に記載の行動パターン提案装置。
【請求項４】
前記複数の電力源それぞれについての時間帯ごとの単位時間当たりの電気料金を、取得した天気情報に基づいて算出する電力料金推定部と、
を備えることを特徴とする請求項３に記載の行動パターン提案装置。
【請求項５】
前記行動パターン提案情報生成部は、前記特定した利用履歴情報に含まれる電力負荷装置それぞれの利用履歴から当該電力負荷装置それぞれの利用時刻を取得し、当該電力負荷装置それぞれの利用時刻を基準とする所定の時間シフト幅と、複数の電力源それぞれについての時間帯ごとの単位時間当たりの電気料金とに加え、さらに、入力したユーザ識別情報に関連する前記電力負荷装置の利用可能時間帯に基づいて、前記特定した利用履歴情報に含まれる電力負荷装置それぞれの利用時間帯を決定し、当該電力負荷装置それぞれの利用時間帯を含む行動パターン提案情報を生成する
ことを特徴とする請求項３または請求項４に記載の行動パターン提案装置。
【請求項６】
前記行動パターン提案情報生成部は、連続して順番に利用される複数の電力負荷装置の纏まりと順番を示す電力負荷装置相関情報を読み取り、当該電力負荷装置相関情報に示される連続して順番に利用される複数の電力負荷装置の纏まりと順番とをさらに用いて、前記特定した利用履歴情報に含まれる電力負荷装置それぞれの利用時間帯を決定し、当該電力負荷装置それぞれの利用時間帯を含む行動パターン提案情報を生成する
ことを特徴とする請求項３から請求項５の何れか一項に記載の行動パターン提案装置。
【請求項７】
行動パターン提案装置の処理方法であって、
電力負荷装置それぞれの１日の利用履歴とその利用履歴において前記電力負荷装置それぞれを利用した際に消費した電力とを少なくとも示す利用履歴情報のうち、所定の処理日に関連する複数の利用履歴情報を取得し、
取得した前記複数の利用履歴情報のうち、利用履歴情報に含まれる各電力負荷装置を利用した際に消費した電力に基づいて電力料金の総額を算出し、その総額が最も低い利用履歴情報を特定し、
前記特定した利用履歴情報に含まれる電力負荷装置それぞれの利用履歴から当該電力負荷装置それぞれの利用時刻を取得し、当該電力負荷装置それぞれの前記所定の処理日に応じた利用時間帯を決定して当該電力負荷装置それぞれの利用時間帯含む行動パターン提案情報を生成する
ことを特徴とする処理方法。
【請求項８】
行動パターン提案装置のコンピュータを、
電力負荷装置それぞれの１日の利用履歴とその利用履歴において前記電力負荷装置それぞれを利用した際に消費した電力とを少なくとも示す利用履歴情報のうち、所定の処理日に関連する複数の利用履歴情報を取得する利用履歴情報取得手段、
取得した前記複数の利用履歴情報のうち、利用履歴情報に含まれる各電力負荷装置を利用した際に消費した電力に基づいて電力料金の総額を算出し、その総額が最も低い利用履歴情報を特定する利用履歴情報特定手段、
前記特定した利用履歴情報に含まれる電力負荷装置それぞれの利用履歴から当該電力負荷装置それぞれの利用時刻を取得し、当該電力負荷装置それぞれの前記所定の処理日に応じた利用時間帯を決定して当該電力負荷装置それぞれの利用時間帯含む行動パターン提案情報を生成する行動パターン提案情報生成手段、
として機能させることを特徴とするプログラム。
【請求項９】
電力負荷装置それぞれの所定単位期間の利用履歴とその利用履歴において前記電力負荷装置それぞれを利用した際に消費した電力とを少なくとも示す利用履歴情報のうち、前記所定単位期間に関連する複数の利用履歴情報を取得する利用履歴情報取得部と、
取得した前記複数の利用履歴情報のうち、利用履歴情報に含まれる各電力負荷装置を利用した際に消費した電力に基づいて電力料金の総額を算出し、その総額が最も低い利用履歴情報を特定する利用履歴情報特定部と、
前記特定した利用履歴情報に含まれる電力負荷装置それぞれの利用履歴から当該電力負荷装置それぞれの利用時刻を取得し、当該電力負荷装置それぞれの前記所定単位期間に応じた利用時間帯を決定して当該電力負荷装置それぞれの利用時間帯含む行動パターン提案情報を生成する行動パターン提案情報生成部と、
を備えることを特徴とする行動パターン提案装置。
【発明の詳細な説明】
【技術分野】
【０００１】
本発明は、ユーザが利用する電力負荷装置について消費電力が抑えられるように各電力負荷装置の利用時間帯を提案する行動パターン提案装置及びその処理方法とプログラムに関する。
【背景技術】
【０００２】
家庭やビルオフィス等で電力を消費する電力負荷装置を利用する電力利用者は、可能な限り電力コストを抑えて、各種電力負荷装置を利用したいという要望がある。このような要望に応えるための技術として、使用方法に応じて電力使用量の削減が見込まれる電力負荷装置について、対応付けられて記録されている省エネルギー行動案をユーザに通知し、省エネルギー活動を取らせる技術が開示されている。
【先行技術文献】
【特許文献】
【０００３】
【特許文献１】特開２０１０−１７６３７３号公報
【発明の概要】
【発明が解決しようとする課題】
【０００４】
ここで上述の特許文献１に記載の技術は、電力使用量の削減が見込まれる電力負荷装置を特定し、この電力負荷装置に対応付けられて記憶されている省エネルギー行動案を選択して需要家端末に送信するものである。従って、電力使用量の削減を見込むことのできない電力負荷装置を含むあらゆる電量負荷装置を考慮して、消費電力が抑えられるように各電力負荷装置の利用時間帯を提案する技術が求められている。
【０００５】
そこでこの発明は、電力使用量の削減を見込むことのできない電力負荷装置を含むあらゆる電量負荷装置が用いられることを想定して、消費電力が抑えられるように各電力負荷装置の利用時間帯を提案することができる行動パターン提案装置及びその処理方法とプログラムを提供することを目的としている。
【課題を解決するための手段】
【０００６】
上記目的を達成するために、本発明は、電力負荷装置それぞれの１日の利用履歴とその利用履歴において前記電力負荷装置それぞれを利用した際に消費した電力とを少なくとも示す利用履歴情報のうち、所定の処理日に関連する複数の利用履歴情報を取得する利用履歴情報取得部と、取得した前記複数の利用履歴情報のうち、利用履歴情報に含まれる各電力負荷装置を利用した際に消費した電力に基づいて電力料金の総額を算出し、その総額が最も低い利用履歴情報を特定する利用履歴情報特定部と、前記特定した利用履歴情報に含まれる電力負荷装置それぞれの利用履歴から当該電力負荷装置それぞれの利用時刻を取得し、当該電力負荷装置それぞれの前記所定の処理日に応じた利用時間帯を決定して当該電力負荷装置それぞれの利用時間帯含む行動パターン提案情報を生成する行動パターン提案情報生成部と、を備えることを特徴とする行動パターン提案装置である。
【０００７】
また本発明は、上述の行動パターン提案装置において、前記電力負荷装置を利用するユーザのうち所定のユーザの識別情報を入力するユーザ識別情報入力部と、を備え、前記利用履歴情報取得部は、前記入力したユーザに関連する利用履歴情報を取得することを特徴とする。
【０００８】
また本発明は、上述の行動パターン提案装置において、前記行動パターン提案情報生成部は、前記特定した利用履歴情報に含まれる電力負荷装置それぞれの利用履歴から当該電力負荷装置それぞれの利用時刻を取得し、当該電力負荷装置それぞれの利用時刻を基準とする所定の時間シフト幅と、複数の電力源それぞれについての時間帯ごとの単位時間当たりの電気料金とに基づいて、前記特定した利用履歴情報に含まれる電力負荷装置それぞれの利用時間帯を決定し、当該電力負荷装置それぞれの利用時間帯を含む行動パターン提案情報を生成することを特徴とする。
【０００９】
また本発明は、上述の行動パターン提案装置において、前記複数の電力源それぞれについての時間帯ごとの単位時間当たりの電気料金を、取得した天気情報に基づいて算出する電力料金推定部と、を備えることを特徴とする。
【００１０】
また本発明は、上述の行動パターン提案装置において、前記行動パターン提案情報生成部は、前記特定した利用履歴情報に含まれる電力負荷装置それぞれの利用履歴から当該電力負荷装置それぞれの利用時刻を取得し、当該電力負荷装置それぞれの利用時刻を基準とする所定の時間シフト幅と、複数の電力源それぞれについての時間帯ごとの単位時間当たりの電気料金とに加え、さらに、入力したユーザ識別情報に関連する前記電力負荷装置の利用可能時間帯に基づいて、前記特定した利用履歴情報に含まれる電力負荷装置それぞれの利用時間帯を決定し、当該電力負荷装置それぞれの利用時間帯を含む行動パターン提案情報を生成することを特徴とする。
【００１１】
また本発明は、上述の行動パターン提案装置において、前記行動パターン提案情報生成部は、連続して順番に利用される複数の電力負荷装置の纏まりと順番を示す電力負荷装置相関情報を読み取り、当該電力負荷装置相関情報に示される連続して順番に利用される複数の電力負荷装置の纏まりと順番とをさらに用いて、前記特定した利用履歴情報に含まれる電力負荷装置それぞれの利用時間帯を決定し、当該電力負荷装置それぞれの利用時間帯を含む行動パターン提案情報を生成することを特徴とする。
【００１２】
また本発明は、行動パターン提案装置の処理方法であって、電力負荷装置それぞれの１日の利用履歴とその利用履歴において前記電力負荷装置それぞれを利用した際に消費した電力とを少なくとも示す利用履歴情報のうち、所定の処理日に関連する複数の利用履歴情報を取得し、取得した前記複数の利用履歴情報のうち、利用履歴情報に含まれる各電力負荷装置を利用した際に消費した電力に基づいて電力料金の総額を算出し、その総額が最も低い利用履歴情報を特定し、前記特定した利用履歴情報に含まれる電力負荷装置それぞれの利用履歴から当該電力負荷装置それぞれの利用時刻を取得し、当該電力負荷装置それぞれの前記所定の処理日に応じた利用時間帯を決定して当該電力負荷装置それぞれの利用時間帯含む行動パターン提案情報を生成することを特徴とする処理方法である。
【００１３】
また本発明は、行動パターン提案装置のコンピュータを、電力負荷装置それぞれの１日の利用履歴とその利用履歴において前記電力負荷装置それぞれを利用した際に消費した電力とを少なくとも示す利用履歴情報のうち、所定の処理日に関連する複数の利用履歴情報を取得する利用履歴情報取得手段、取得した前記複数の利用履歴情報のうち、利用履歴情報に含まれる各電力負荷装置を利用した際に消費した電力に基づいて電力料金の総額を算出し、その総額が最も低い利用履歴情報を特定する利用履歴情報特定手段、前記特定した利用履歴情報に含まれる電力負荷装置それぞれの利用履歴から当該電力負荷装置それぞれの利用時刻を取得し、当該電力負荷装置それぞれの前記所定の処理日に応じた利用時間帯を決定して当該電力負荷装置それぞれの利用時間帯含む行動パターン提案情報を生成する行動パターン提案情報生成手段、として機能させることを特徴とするプログラムである。
【００１４】
また本発明は、電力負荷装置それぞれの所定単位期間の利用履歴とその利用履歴において前記電力負荷装置それぞれを利用した際に消費した電力とを少なくとも示す利用履歴情報のうち、前記所定単位期間に関連する複数の利用履歴情報を取得する利用履歴情報取得部と、取得した前記複数の利用履歴情報のうち、利用履歴情報に含まれる各電力負荷装置を利用した際に消費した電力に基づいて電力料金の総額を算出し、その総額が最も低い利用履歴情報を特定する利用履歴情報特定部と、前記特定した利用履歴情報に含まれる電力負荷装置それぞれの利用履歴から当該電力負荷装置それぞれの利用時刻を取得し、当該電力負荷装置それぞれの前記所定単位期間に応じた利用時間帯を決定して当該電力負荷装置それぞれの利用時間帯含む行動パターン提案情報を生成する行動パターン提案情報生成部と、を備えることを特徴とする行動パターン提案装置である。
【発明の効果】
【００１５】
本発明によれば、電力使用量の削減を見込むことのできない電力負荷装置を含むあらゆる電量負荷装置が用いられることを想定して、消費電力が抑えられるように各電力負荷装置の利用時間帯を提案することができる。
【図面の簡単な説明】
【００１６】
【図１】本発明の一実施形態による行動パターン提案装置の構成を示すブロック図である。
【図２】本発明の一実施形態による行動パターン提案装置の処理フローを示す図である。
【図３】本発明の一実施形態による利用履歴情報の一例を示す図である。
【発明を実施するための形態】
【００１７】
以下、本発明の一実施形態による行動パターン提案装置を図面を参照して説明する。
図１は同実施形態による行動パターン提案装置の構成を示すブロック図である。
この図において、符号１は行動パターン提案装置である。行動パターン提案装置１は、制御部１１、ユーザ識別情報入力部１２、利用履歴情報取得部１３、利用履歴情報特定部１４、行動パターン提案情報生成部１５、電力料金推定部１６の各処理部を備えている。
【００１８】
制御部１１は行動パターン提案装置１の各処理部を制御する。
またユーザ識別情報入力部１２は、電力負荷装置を利用するユーザのうち所定のユーザの識別情報（ユーザＩＤ）を入力する処理部である。例えば所定のユーザとは、行動パターン提案装置１を用いて行動パターン提案情報を閲覧するユーザである。
また利用履歴情報取得部１３は、電力負荷装置それぞれの１日の利用履歴とその利用履歴において電力負荷装置それぞれを利用した際に消費した電力量とを少なくとも示す利用履歴情報のうち、入力したユーザの識別情報と所定の処理日に関連する複数の利用履歴情報を取得する処理部である。所定の処理日とは、例えば、ユーザの識別情報を入力した日であり、早朝にユーザから入力したユーザの識別情報に基づいて、その日に関連するユーザの利用履歴情報を取得する。また所定の処理日に関連する利用履歴情報とは、例えば処理日と同じ曜日の過去の利用履歴情報や、処理日と同じような天気の過去の日の利用履歴情報である。
【００１９】
また利用履歴情報特定部１４は、利用履歴情報取得部１３の取得した複数の利用履歴情報のうち、利用履歴情報に含まれる各電力負荷装置を利用した際に消費した電力量に基づいて電力料金の総額を算出し、その総額が最も低い利用履歴情報を特定する処理部である。
また行動パターン提案情報生成部１５は、利用履歴情報特定部１４によって特定された利用履歴情報に含まれる電力負荷装置それぞれの利用履歴から、当該電力負荷装置それぞれの利用時刻を取得する。そして行動パターン提案情報生成部１５は、当該電力負荷装置それぞれの所定の処理日に応じた利用時間帯を決定して、それら電力負荷装置それぞれの利用時間帯含む行動パターン提案情報を生成する処理部である。
また電力料金推定部１６は、複数の電力源それぞれについての時間帯ごとの単位時間当たりの電気料金を天気情報に基づいて算出する処理部である。電力源としては、電力事業者が提供する電力、家庭に備わる二次電池等の電力貯蔵装置に充電された電力、地域やビルの二次電池等の電力貯蔵装置に充電された電力、などの電力源である。
【００２０】
また図１において利用履歴情報記憶部２１は、ユーザ毎の過去の利用履歴情報を記憶する記憶部である。
また電力料金記憶部２２は、複数の電力源それぞれについての時間帯ごとの単位時間当たりの電気料金を記憶する処理部である。なお電力料金記憶部２２は、この電気料金を天気の種別に応じて記憶しても良い。より具体的な電気料金の情報としては、電力源（エネルギー分類）、時間帯、契約種類、単価、更新日時などの情報である。
また天気情報記憶部２３は、過去や当日の天気情報を記憶する記憶部である。例えば天気情報としては、地域情報、年月日、天候、気温、降水確率などの情報が記憶されている。
また電力負荷装置相関情報記憶部２４は、ユーザによって連続して順番に利用される複数の電力負荷装置の纏まりと順番を示す電力負荷装置相関情報を記憶する記憶部である。
また電力負荷装置特性情報記憶部２５は、ユーザの利用する電力負荷装置の特性を示す情報を記憶する記憶部である。
なお、これらの記憶部は図１で示すように行動パターン提案装置１に含まれないものとしてもよいし、それら記憶部のうちの何れか１つまたは複数が行動パターン提案装置１に含まれるようにしてもよい。
【００２１】
本実施形態による行動パターン提案装置１は、上述のような処理部により、電力使用量の削減を見込むことのできない電力負荷装置を含むあらゆる電量負荷装置が用いられることを想定して、消費電力が抑えられるように各電力負荷装置の利用時間帯をユーザに対して提案する。
【００２２】
図２は行動パターン提案装置１の処理フローを示す図である。
以下、行動パターン提案装置１の処理の詳細について順を追って説明する。
まず、電力負荷装置には利用履歴送信機能が備えられている。ユーザは電力負荷装置を利用する際、電力負荷装置に自分のＩＤを入力して利用する。電力負荷装置はさらに時刻計時機能を有しており、利用履歴送信機能はユーザのＩＤを入力すると、そのときの日付と時刻（利用開始時刻）を時刻計時機能から取得する。そして電力負荷装置がユーザによって利用され、電源ＯＦＦを入力すると、利用履歴送信機能は電源ＯＦＦを入力した際の時刻（利用終了時刻）を時刻計時機能から取得する。そして利用履歴送信機能は、電源がＯＦＦする直前に、利用日（日付）、装置ＩＤ（電力負荷装置を識別する情報）、ユーザＩＤ、利用開始時刻、利用終了時刻、消費電力量などを含む利用情報を、利用履歴情報記憶部２１を備える装置（以下、利用履歴情報記憶装置）へ送信する。なお、利用履歴送信機能と、利用履歴情報記憶装置とは、無線ネットワークや有線ネットワークを介して接続されているものとする。そして、利用履歴情報記憶装置は、受信した利用情報を、利用履歴情報記憶部２１に登録する。
【００２３】
ここで、電力負荷装置の利用履歴送信機能は、ユーザＩＤ入力時に装置ＩＤ、ユーザＩＤを含む第１の利用情報を送信し、また電源ＯＦＦ時に装置ＩＤ、ユーザＩＤ、消費電力量を含む第２の利用情報を送信し、利用履歴情報記憶装置がそれら第１と第２の利用情報の受信した時刻をそれぞれ利用開始時刻、利用終了時刻と検知して、それらの情報を纏めて利用履歴情報記憶部２１に記録するようにしても良い。そして利用履歴情報記憶装置は、一日に同一のユーザが利用した複数の電力負荷装置についての利用情報を纏めて、一つの利用履歴情報として管理する。
このような処理により、利用履歴情報記憶部２１には複数のユーザ（例えば家族を構成する各ユーザ）についての過去の複数の電力負荷装置についての利用履歴情報を、それぞれの日について記憶することとなる。なお、電力負荷装置は、当該電力負荷装置の存在場所が家庭であれば、冷蔵庫、洗濯機、掃除機、給湯器、ドライヤなどである。
【００２４】
図３は利用履歴情報の一例を示す図である。
この図で示すように利用履歴情報は、基本情報と利用情報とで構成される。基本情報はユーザＩＤ、ユーザ名、利用履歴ＩＤ、利用日時・曜日、コストフラグの各情報が含まれる。基本情報は、データベース等に予め記録されているユーザの情報等に基づいて、利用日時ごとに利用履歴情報記憶装置が自動的に生成する情報である。そして、利用履歴情報記憶装置は、電力負荷装置の利用履歴送信機能から利用情報を受信すると、基本情報内の利用履歴ＩＤに対応付けて利用情報を登録する。図３においては基本情報に対応付けて利用情報が３つ登録されている利用履歴情報を示している。なお利用履歴とは複数の利用情報を含む情報を意味する。そして、利用履歴情報記憶装置は、図３で示すような利用履歴情報を複数日に亘って記録していく。
【００２５】
そして、上述のような利用履歴情報が利用履歴情報記憶部２１に十分記憶された状態で、行動パターン提案装置１を利用することができる。行動パターン提案装置１は、モニタや入力部を備えている。そして、例えばリビングや洗面所にそれらモニタや入力部が備えられており、ユーザは早朝に起きた際に、行動パターン提案装置１の入力部を用いて自身のユーザＩＤを入力する。これにより、行動パターン提案装置１のユーザ識別情報入力部１２がユーザＩＤを取得して（ステップＳ１０１）、制御部１１へ通知する。これにより制御部１１は処理の開始を検出する。そして、制御部１１は利用履歴情報取得部１３に対してユーザＩＤを出力すると共に、処理の開始を指示する。なお、行動パターン提案装置１は、リビングや洗面所に備えられたモニタや入力部と通信ネットワークを介して接続された遠隔地のサーバ内に備えられるようにしてもよい。
【００２６】
次に利用履歴情報取得部１３は、入力したユーザＩＤのその処理日当日の日付を用いて、その処理日に関連する複数の利用履歴情報を利用履歴情報記憶部２１から読み取る（ステップＳ１０２）。例えば利用履歴情報取得部１３は、処理日当日の曜日が同じ、同一ユーザについての過去の利用履歴情報を、利用履歴情報記憶部２１から読み取る。または利用履歴情報取得部１３は天気情報記憶部２３より処理日当日の天気情報（晴れ、曇り、雨、温度など）を入力し、処理日当日の曜日と天気情報について同じ（または類似する）情報が含まれる利用履歴情報を、利用履歴情報記憶部２１から読み取る。そして利用履歴情報取得部１３は、処理日に関連する複数の利用履歴情報を利用履歴情報特定部１４に出力し、当該処理部に処理開始を指示する。
【００２７】
次に利用履歴情報特定部１４は、処理日に関連する複数の利用履歴情報を利用履歴情報取得部１３より入力する。そして利用履歴情報特定部１４は、各利用履歴情報を用い、利用履歴情報に含まれる各電力負荷装置の利用開始時刻と利用終了時刻の処理日当日の時間帯で同様に当該各電力負荷装置を利用した場合の電力料金をそれぞれ算出する（ステップＳ１０３）。そして利用履歴情報特定部１４は、利用履歴情報に含まれる各電力負荷装置を処理日に利用した場合の電力料金の総額が最も低い利用履歴情報を特定する（ステップＳ１０４）。
【００２８】
例えば、入力した複数の利用履歴情報のうちの１つである利用履歴情報Ａに、時間帯ａ１に電力負荷装置ｂ１を利用し、また時間帯ａ２に電力負荷装置ｂ２を利用し、また時間帯ａ３に電力負荷装置ｂ３を利用した利用情報が含まれているとする。この場合、利用履歴情報特定部１４は、時間帯ａ１に電力負荷装置ｂ１を使った際の消費電力量を利用情報から取得し、その消費電力量と、処理日当日の時間帯ａ１に電力源ｃ１，ｃ２，ｃ３の何れかを用いた場合の各電力料金ｄ１，ｄ２，ｄ３を算出する。そして利用履歴情報特定部１４は、処理日当日の時間帯ａ１に電力負荷装置ｂ１を電力源ｃ１を用いて利用した場合の電力料金ｄ１と、処理日当日の時間帯ａ１に電力負荷装置ｂ１を電力源ｃ２を用いて利用した場合の電力料金ｄ２と、処理日当日の時間帯ａ１に電力負荷装置ｂ１を電力源ｃ３を用いて利用した場合の電力料金ｄ３とを算出して比較する。そして、利用履歴情報特定部１４は、処理日当日の時間帯ａ１に電力負荷装置ｂ１を利用する場合の最も低い電力料金（電力料金ｄ１，ｄ２，ｄ３の何れか一つ）を特定する。
【００２９】
利用履歴情報特定部１４は、同様に、時間帯ａ２に電力負荷装置ｂ２を利用する場合の最も低い電力料金と、時間帯ａ３に電力負荷装置ｂ３を利用する場合の最も低い電力料金と、を算出する。そして利用履歴情報特定部１４は、処理日当日の時間帯ａ１に電力負荷装置ｂ１を利用する場合の最も低い電力料金と、処理日当日の時間帯ａ２に電力負荷装置ｂ２を利用する場合の最も低い電力料金と、処理日当日の時間帯ａ３に電力負荷装置ｂ３を利用する場合の最も低い電力料金とを合計して、処理日当日に利用履歴情報Ａを用いてユーザが各電力負荷装置を利用した場合の電力料金を算出する。そして、利用履歴情報特定部１４は、同様の処理により、入力した全ての利用履歴情報について、その利用履歴情報を用いてユーザが各電力負荷装置を利用した場合の電力料金を算出する。そして、利用履歴情報特定部１４は、最も低い電力料金を算出した利用履歴情報を特定し、行動パターン提案情報生成部１５へ出力する。
【００３０】
次に行動パターン提案情報生成部１５は、利用履歴情報特定部１４によって特定された利用履歴情報に含まれる電力負荷装置それぞれの利用情報から当該電力負荷装置それぞれの利用時刻（利用開始時刻と利用終了時刻）を取得する。そして行動パターン提案情報生成部１５は、当該電力負荷装置それぞれの処理日当日に応じた適切な利用時間帯を決定して、当該電力負荷装置それぞれの利用時間帯含む行動パターン提案情報を生成する（ステップＳ１０５）。
【００３１】
より具体的には、行動パターン提案情報生成部１５は、特定した利用履歴情報に含まれる電力負荷装置それぞれの利用時刻を基準とする所定の時間シフト幅と、複数の電力源それぞれについての時間帯ごとの単位時間当たりの電気料金とを入力する。例えば行動パターン提案情報生成部１５は、利用履歴情報において電力負荷装置Ａの利用情報が含まれる場合には、その利用情報において記録されている利用時刻（例えば利用開始時刻、利用終了時刻、または利用開始時刻と利用終了時刻の中間の時刻）を特定する。そして行動パターン提案情報生成部１５は、その利用時刻を基準とする所定の時間シフト幅を、電力負荷装置ごとに予めメモリや記憶部等に記録されている記憶部から取得する。より具体的には、利用履歴情報において電力負荷装置Ａの利用情報からその利用時刻を１２時と特定し、その利用時刻における電力負荷装置Ａについての時間シフト幅の情報である“１時間”を取得する。
【００３２】
次に行動パターン提案情報生成部１５は、利用時刻と時間シフト幅に基づいて、電力負荷装置Ａの利用を推奨する利用時間帯範囲を決定する。例えば、利用時刻が１２時、時間シフト幅が１時間である場合、利用時間帯範囲は利用時刻１２時の前後一時間を含む１１時〜１３時と決定する。そして、行動パターン提案情報生成部１５は、利用時間帯範囲１１時〜１３時において電力負荷装置Ａを最も低コストで利用することのできる利用時間帯（一時間と限定された時間帯）と電力源とを特定する。
【００３３】
例えば、行動パターン提案情報生成部１５は、
利用時間帯範囲１１時〜１３時のうち利用時間帯１１時〜１２時の間に電力負荷装置Ａを電力源ｃ１を用いて利用した場合の電力料金ｄ１１、
利用時間帯範囲１１時〜１３時のうち利用時間帯１１時〜１２時の間に電力負荷装置Ａを電力源ｃ２を用いて利用した場合の電力料金ｄ１２、
利用時間帯範囲１１時〜１３時のうち利用時間帯１１時〜１２時の間に電力負荷装置Ａを電力源ｃ３を用いて利用した場合の電力料金ｄ１３、
利用時間帯範囲１１時〜１３時のうち利用時間帯１２時〜１３時の間に電力負荷装置Ａを電力源ｃ１を用いて利用した場合の電力料金ｄ１４、
利用時間帯範囲１１時〜１３時のうち利用時間帯１２時〜１３時の間に電力負荷装置Ａを電力源ｃ２を用いて利用した場合の電力料金ｄ１５、
利用時間帯範囲１１時〜１３時のうち利用時間帯１２時〜１３時の間に電力負荷装置Ａを電力源ｃ３を用いて利用した場合の電力料金ｄ１６、
をそれぞれ算出する。そして行動パターン提案情報生成部１５は、電力料金ｄ１１、ｄ１２、ｄ１３、ｄ１４、ｄ１５、ｄ１６のうち最も低い値の電力料金を算出した場合の利用時間帯と電力源とを、電力負荷装置Ａを最も低コストで利用することのできる利用時間帯と電力源と特定する。
【００３４】
また行動パターン提案情報生成部１５は、同様に、利用履歴情報特定部１４によって特定された利用履歴情報の利用情報に含まれる電力負荷装置それぞれについて、その電力負荷装置を最も低コストで利用することのできる利用時間帯と電力源と特定する。そして、行動パターン提案情報生成部１５は、利用履歴情報特定部１４によって特定された利用履歴情報内の利用情報に含まれる電力負荷装置それぞれについて、その電力負荷装置を最も低コストで利用することのできる利用時間帯と電力源とを示す行動パターン提案情報を生成する。そして、行動パターン提案情報生成部１５は、生成した行動パターン提案情報を所定の出力先へ出力する（ステップＳ１０６）。例えば、所定の出力先は、行動パターン提案装置１に備わるモニタ等である。
【００３５】
なお、電力料金推定部１６は、ある利用時間帯においてある電力源を用いて電力負荷装置を利用する場合の単位時間当たりの電気料金を、取得した天気情報に基づいて算出するようにしてもよい。そして、行動パターン提案情報生成部１５は、電力料金推定部１６の算出した、ある利用時間帯においてある電力源を用いて電力負荷装置を利用した場合の単位時間当たりの電気料金を用いて、上述した電力料金ｄ１１、ｄ１２、ｄ１３、ｄ１４、ｄ１５、ｄ１６を算出してよい。
【００３６】
上述の行動パターン提案装置１の処理によれば、過去のユーザの電力負荷装置の利用履歴情報を用いて、処理日当日において各電力負荷装置を利用する場合に最も電力コストが低くなる利用時間帯（行動パターン）を提案することができるようになる。この時、行動パターン提案装置１は、電力使用量の削減を見込むことのできない電力負荷装置を含むあらゆる電量負荷装置が用いられることを想定して、消費電力が抑えられるように各電力負荷装置の利用時間帯をユーザに対して提案することができる。
【００３７】
ここで、行動パターン提案情報生成部１５は、電力負荷装置それぞれの利用時刻を基準とする所定の時間シフト幅と、複数の電力源それぞれについての時間帯ごとの単位時間当たりの電気料金とに加え、さらに、入力したユーザの電力負荷装置の利用可能時間帯に基づいて、特定した利用履歴情報に含まれる電力負荷装置それぞれの利用時間帯を決定し、当該電力負荷装置それぞれの利用時間帯を含む行動パターン提案情報を生成するようにしてもよい。
【００３８】
例えば、行動パターン提案情報生成部１５は、ユーザの電力負荷装置の利用可能時間帯を、記憶部等から入力する。当該電力負荷装置の利用可能時間帯は、例えばユーザが在宅中の時間帯等である。そして、行動パターン提案情報生成部１５は、上述した電力料金ｄ１１、ｄ１２、ｄ１３、ｄ１４、ｄ１５、ｄ１６の算出において、利用時間帯範囲において、利用可能時間帯に含まれない時間を特定し、その時間を除いた利用時間帯範囲を用いて電力料金を算出する。
【００３９】
例えば利用時間帯範囲１１時〜１３時のうち１２時〜１３時のみが利用可能時間帯であれば、行動パターン提案情報生成部１５は、利用時間帯範囲１２時〜１３時の間に電力負荷装置Ａを電力源ｃ１を用いて利用した場合の電力料金ｄ１４を算出し、利用時間帯範囲１１時〜１２時の間に電力負荷装置Ａを電力源ｃ１を用いて利用した場合の電力料金ｄ１２を算出する処理を除外する。同様に、行動パターン提案情報生成部１５は、利用時間帯１１時〜１２時の間に電力負荷装置Ａを電力源ｃ２を用いて利用した場合の電力料金ｄ１２、利用時間帯１１時〜１２時の間に電力負荷装置Ａを電力源ｃ３を用いて利用した場合の電力料金ｄ１３、を算出する処理を除外する。
【００４０】
つまり、利用時間帯範囲１１時〜１３時のうち１２時〜１３時のみが利用可能時間帯である場合、行動パターン提案情報生成部１５は、上述した電力料金ｄ１４、電力料金ｄ１５、電力料金ｄ１６のみを算出して、そのうち最も低い値の電力料金を算出した場合の利用時間帯と電力源とを、電力負荷装置Ａを最も低コストで利用することのできる利用時間帯と電力源と特定する。
【００４１】
なお、利用可能時間帯に代えて、利用不可能時間帯（利用制限時間帯）を用いて、その利用不可能時間帯を除く、各電力負荷装置についての利用時間帯を特定してもよい。利用可能時間帯や利用不可能時間帯については、ユーザそれぞれについて、日毎、曜日毎、週毎、月毎、年毎、季節毎に事前に記憶部に登録しておく。これにより、例えば早朝はジョギングをする、会社に居る、室内に居る等、これらのデータを考慮する事で、より精度の高い行動パターンを提案する事ができる。
【００４２】
また行動パターン提案情報生成部１５は、連続して順番に利用される複数の電力負荷装置の纏まりと順番を示す電力負荷装置相関情報を読み取り、当該電力負荷装置相関情報に示される、連続して順番に利用される複数の電力負荷装置の纏まりと順番とをさらに用いて、特定した利用履歴情報に含まれる電力負荷装置それぞれの利用時間帯を決定し、当該電力負荷装置それぞれの利用時間帯を含む行動パターン提案情報を生成するようにしてもよい。
【００４３】
例えば行動パターン提案情報生成部１５は、電力負荷装置相関情報を電力負荷装置相関情報記憶部２４から読み取る。この電力負荷装置相関情報には、例えば、電力負荷装置である給湯器、ドライヤ、電動ハブラシの情報が一つのグループであるとする情報が記録され、またそのグループに属する各電力負荷装置の利用される順番の情報が記録されている。そして、行動パターン提案情報生成部１５は、上述の行動パターン提案情報を生成する際に、利用履歴情報内の利用情報に含まれる電力負荷装置のうち、電力負荷装置相関情報の中で一つのグループとして保持されている電力負荷装置については、その順番を維持した利用時間帯をそれぞれ特定して設定する。また行動パターン提案情報生成部１５は、利用履歴情報内の利用情報に含まれる電力負荷装置のうち、電力負荷装置相関情報の中で一つのグループとして保持されている電力負荷装置については、利用時間帯が所定の範囲内となるように、各電力負荷装置の利用時間帯を特定して設定するようにしてもよい。
【００４４】
また行動パターン提案情報生成部１５は、電力負荷装置の推奨する利用時間帯を保持した特性情報を、電力負荷装置特性情報記憶部２５から読み取って、その特性情報に基づいて、利用履歴情報に含まれる電力負荷装置それぞれの利用時間帯を決定し、当該電力負荷装置それぞれの利用時間帯を含む行動パターン提案情報を生成するようにしてもよい。
【００４５】
例えば、給湯器であれば気温が下がり切っていない状態から水を加熱することでエネルギーを節約することができる。また空調設備は天候や気温によって消費電力が大きく影響するため、気温が低い場合に暖房を入れたり、気温が高い場合に冷房を入れたりすることにより消費電力が増大するため、そのような、気温によって空調設備の利用時間帯として特定しないことでエネルギーを節約することができる。従って、電力負荷装置に応じた推奨する利用時間帯を示す特性情報を電力負荷装置特性情報記憶部２５に記録しておく。そして、行動パターン提案情報生成部１５は、取得した特性情報から、電力負荷装置についての推奨される利用時間帯を読み取って、所定の電力負荷装置についてはその特性情報から読み取った利用時間帯を特定して設定し行動パターン提案情報を生成するようにしてもよい。
【００４６】
上述の処理においては、行動パターン提案情報生成部１５は、電力負荷装置それぞれの所定の処理日に応じた利用時間帯を決定して当該電力負荷装置それぞれの利用時間帯含む行動パターン提案情報を生成している。しかしながら、行動パターン提案情報生成部１５は、電力負荷装置それぞれの所定の単位期間に応じた利用時間帯を決定して当該電力負荷装置それぞれの利用時間帯含む行動パターン提案情報を生成するようにしてもよい。つまり、行動パターン提案情報生成部１５は、電力負荷装置それぞれの１ヶ月における利用時間帯を決定して当該電力負荷装置それぞれの利用時間帯含む行動パターン提案情報を生成するようにしてもよい。
【００４７】
この場合、利用履歴情報取得部１３が、電力負荷装置それぞれの所定単位期間（例えば一ヶ月）の利用履歴とその利用履歴において電力負荷装置それぞれを利用した際に消費した電力とを少なくとも示す利用履歴情報のうち、所定単位期間に関連する複数の利用履歴情報を取得する。また、利用履歴情報特定部１４が、取得した複数の利用履歴情報のうち、利用履歴情報に含まれる各電力負荷装置を利用した際に消費した電力に基づいて電力料金の総額を算出し、その総額が最も低い利用履歴情報を特定する。また、行動パターン提案情報生成部１５が、特定された利用履歴情報に含まれる電力負荷装置それぞれの利用履歴から当該電力負荷装置それぞれの利用時刻を取得し、当該電力負荷装置それぞれの所定単位期間に応じた利用時間帯を決定して当該電力負荷装置それぞれの利用時間帯含む行動パターン提案情報を生成する。具体的な処理の例は上述と同様である。
【００４８】
なお上述の行動パターン提案装置１は、内部にコンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４９】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００５０】
１・・・行動パターン提案装置
１１・・・制御部
１２・・・ユーザ識別情報入力部
１３・・・利用履歴情報取得部
１４・・・利用履歴情報特定部
１５・・・行動パターン提案情報生成部
１６・・・電力料金推定部
２１・・・利用履歴情報記憶部
２２・・・電力料金記憶部
２３・・・天気情報記憶部
２４・・・電力負荷装置相関情報記憶部
２５・・・電力負荷装置特性情報記憶部
【図１】
2013218642.tif 000003
【図２】
2013218642.tif 000004
【図３】
2013218642.tif 000005